(57)【特許請求の範囲】
【請求項１】
多数の緯糸と，該緯糸と略直交する多数の経糸とを構成糸とする医療用ガーゼにおいて、
前記構成糸の内の少なくとも一本をＸ線造影糸とし、
該Ｘ線造影糸に対して略直交方向に且つほぼ等間隔に該Ｘ線造影糸と交差する構成糸は、一本置きにＸ線造影糸の上面側と下面側とを交差し、且つこのＸ線造影糸と接触し、
前記Ｘ線造影糸に対して略平行方向の構成糸の内、前記Ｘ線造影糸の両側に近接する複数本の構成糸は、お互いが接触し且つＸ線造影糸とも接触するように密に織り込まれて成ることを特徴とする医療用ガーゼ。
【請求項２】
前記Ｘ線造影糸に対して略平行方向の構成糸の内、前記Ｘ線造影糸の両側に密に織り込まれる構成糸の本数は、それぞれ２本以上４本以下であることを特徴とする請求項１に記載の医療用ガーゼ。
【請求項３】
前記Ｘ線造影糸に対して略平行方向の構成糸の内、前記Ｘ線造影糸の両側に接触する二本の構成糸は偏平状であり、該Ｘ線造影糸と面接触するように織り込まれていることを特徴とする請求項１又は２に記載の医療用ガーゼ。
【発明の詳細な説明】
【０００１】
【発明の属する技術分野】
本発明は、手術時に使用されるＸ線造影糸を具備する医療用ガーゼに係り、特にそのＸ線造影糸が簡単に抜け落ちないように構成された医療用ガーゼに関するものである。
【０００２】
【従来の技術】
従来、医療従事者が外科手術等の手術を行う場合、患者からの出血，体液等の拭き取り及び吸収を行うため、大きさが例えば３０ｃｍ×３０ｃｍのガーゼを多数枚使用する必要がある。そして手術後には、手術を行った医療従事者によって使用されたガーゼは、全て患者の体内から除去されることとなる。この時、手術中に使用されたガーゼは出血により赤く染まり、手術時の切開部において患者の臓器とガーゼとが目視により識別しにくくなるため、ガーゼが手術後の患者の体内に残ってしまう虞がある。もしこのように手術後の患者の体内にガーゼを取り残してしまった場合、患者の体内にガーゼが残存し続けると、その患者は違和感を覚えるだけでなく、身体に痛みを伴う、あるいは発熱する等の異状が患者に発生する虞がある。そこで医療従事者は、手術後の患者の体内にガーゼを取り残さないよう、手術時に使用した全てのガーゼを除去しなければならない。
【０００３】
そこで上記のことを鑑み、主に手術で使用されるガーゼとしては、ガーゼを構成する多数の構成糸の内の一本を、例えば硫酸バリウムを含有するシリコン系樹脂から成るＸ線造影糸に置き換えて図３のように該Ｘ線造影糸を織り込んだ医療用ガーゼが一般的に採用されている。この図３に示される従来のガーゼでは、一本のＸ線造影糸と多数の経糸はほぼ等間隔に織り込まれ、また多数の緯糸についても、Ｘ線造影糸および多数の経糸と略直交する方向にほぼ等間隔に織り込まれている。
【０００４】
このような一本のＸ線造影糸が織り込まれて成るガーゼにより、従来は手術時におけるガーゼの除去作業を行った後、手術の施術箇所をＸ線撮影することで、医療従事者は、このＸ線造影糸を目印としてガーゼの取り残しがないかを確認していた。またガーゼの取り残しがあった場合には、医療従事者は、このＸ線造影糸を目印として取り残しガーゼの位置を正確に認識し、このガーゼの除去作業を行っていた。以上のようにして、手術時に使用された全てのガーゼを除去する作業が行われていた。
【０００５】
【発明が解決しようとする課題】
しかしながら、このＸ線造影糸の表面は非常に滑らかであるため、従来のガーゼでは、医療行為中にガーゼからＸ線造影糸が簡単に抜け落ちてしまうことがあった。このようにＸ線造影糸がガーゼから簡単に落ちてしまうようでは、取り残しのガーゼを探し出すための目印としてのＸ線造影糸の役割が果たされないため、従来のガーゼを用いて手術を行った後に施術箇所のＸ線撮影を行ったところで、医療従事者は、取り残しガーゼの存在有無および取り残しガーゼの位置を正確に認識することができないといった不都合が生じる虞があった。
【０００６】
そこで上記の問題点を解決するために、ガーゼを構成する繊維糸にＸ線造影糸を融着させ、Ｘ線造影糸がガーゼから抜け落ちないようにすることが考えられる。しかしながら、繊維糸とＸ線造影糸との融着部分は固化しているため、このガーゼの使用時あるいはガーゼが患者の体内に取り残された場合に、患者により一層の違和感を与えるのみならず、この固化した融着部分が施術箇所に接触することによって、その接触箇所が傷付いてしまう虞がある。
【０００７】
以上より本発明の目的は、上記の問題点を改善し、医療行為中にＸ線造影糸が簡単に抜け落ちることなく、また取り残しガーゼの存在有無および取り残しガーゼの残存位置の確認を医療従事者が正確に行えるようにし、且つ患者に対する安全性が確保された医療用ガーゼを提供することである。
【０００８】
【課題を解決するための手段】
上記目的を達成するため、本発明は、多数の緯糸と，該緯糸と略直交する多数の経糸とを構成糸とする医療用ガーゼにおいて、前記構成糸の内の少なくとも一本をＸ線造影糸とし、該Ｘ線造影糸に対して略直交方向に且つほぼ等間隔に該Ｘ線造影糸と交差する構成糸は、一本置きにＸ線造影糸の上面側と下面側とを交差し、且つこのＸ線造影糸と接触し、さらに前記Ｘ線造影糸に対して略平行方向の構成糸の内、前記Ｘ線造影糸の両側に近接する複数本の構成糸は、お互いが接触し且つＸ線造影糸とも接触するように密に織り込まれて構成されている。
【０００９】
また本発明の医療用ガーゼにおいて、前記Ｘ線造影糸に対して略平行方向の構成糸の内、前記Ｘ線造影糸の両側に密に織り込まれる構成糸の本数を、それぞれ２本以上４本以下とすることによって、上記目的を達成することができる。更には前記Ｘ線造影糸に対して略平行方向の構成糸の内、前記Ｘ線造影糸の両側に接触する二本の構成糸を偏平状とし、該Ｘ線造影糸と面接触するように織り込むことで、上記目的を達成することができる。
【００１０】
【発明の実施の形態】
以下、本発明の一実施形態における医療用ガーゼについて、図１及び図２を参照して説明する。図１は本発明の一実施形態における医療用ガーゼの全体構成図であり、図２は本実施形態の医療用ガーゼにおけるＸ線造影糸近傍の構成を示す拡大構成図である。
【００１１】
本実施形態における医療用ガーゼ１は、ガーゼの構成糸である多数の緯糸４と経糸２の内、多数の経糸２の内の一本をＸ線造影糸５に置き換え、該Ｘ線造影糸５を経糸２および緯糸４と共に織り込んで構成されている。ここで、本発明のガーゼを構成するＸ線造影糸５と各緯糸４とは、図２のように交絡した状態となっている。具体的には、各緯糸４はＸ線造影糸５に対して略直交方向に且つほぼ等間隔に該Ｘ線造影糸５と交差しているが、これらの各緯糸４は、一本置きにＸ線造影糸５の上面側と下面側とを交差し、且つこのＸ線造影糸５と接触している。尚、本実施形態では経糸２の内の一本をＸ線造影糸５に置き換えているが、緯糸４の内の一本をＸ線造影糸５に置き換えてもよく、また、置換するＸ線造影糸の本数は本実施形態では一本としているが、これに限定されるわけではない。
【００１２】
また、この医療用ガーゼ１を構成する経糸２の交絡状態について図２を参照して説明すると、本実施形態の医療用ガーゼ１では、Ｘ線造影糸５の近傍における経糸３の密度が、このＸ線造影糸５近傍以外の部分における経糸２の密度に比べて非常に高い構成となっている。具体的には、Ｘ線造影糸５および該Ｘ線造影糸５の両側に近接する複数本（本実施形態ではそれぞれ４本）の経糸３は、それぞれ隣接するＸ線造影糸５あるいは経糸３ａ，３Ａと互いに接触する程度に密に織り込まれており、Ｘ線造影糸５近傍以外の部分における各経糸２（即ち、上記複数本の経糸３以外の経糸２）は、従来と同様に、ほぼ等間隔に且つ各緯糸４に対して略直交方向に織り込まれている。
【００１３】
以上のように構成された医療用ガーゼ１では、多数の緯糸４がＸ線造影糸５のガーゼ上面側とガーゼ下面側とで等間隔に且つ交互に交差，接触しているため、Ｘ線造影糸５が抜け落ちる際にＸ線造影糸５の表面には、これらの交差，接触する多数の緯糸４によって、ガーゼからＸ線造影糸５を抜け落ちる方向と反対方向に抵抗力（摩擦力）が生じる。この抵抗力により、ガーゼからＸ線造影糸５が容易に抜け落ちにくくなる。
【００１４】
また、このＸ線造影糸５の両側の経糸３が緯糸４と共に密に織り込まれることにより、Ｘ線造影糸５と交差する各緯糸４が、図４に示すようにＸ線造影糸５近傍において固定されるような状態となるため、Ｘ線造影糸５が抜け落ちる際に、各緯糸４がＸ線造影糸５の抜け落ちる方向にずれてしまうことがない。これより、上記のような各緯糸４から発生する抵抗力は、Ｘ線造影糸５の表面に確実に伝達することが可能となる。
【００１５】
さらに、Ｘ線造影糸５の両側に接触する経糸３Ａは、上記の多数の緯糸４と同様、Ｘ線造影糸５が抜け落ちる際にＸ線造影糸５の表面に、ガーゼからＸ線造影糸５が抜け落ちる方向と反対方向に抵抗力（摩擦力）が生じる。ここで、このＸ線造影糸５の両側の最近接の経糸３Ａは、該Ｘ線造影糸５の側面と所々で接触した状態となるので、これら最近接の経糸３ＡとＸ線造影糸５との間には、上記の多数の緯糸４により生じる抵抗力よりも大きい抵抗力が生じることとなる。また、このＸ線造影糸５近傍の両側にある複数本の経糸３は密に織り込まれているため、図２のように隣接するＸ線造影糸５と該Ｘ線造影糸５近傍の経糸３ａ，３Ａとが互いに接触し、Ｘ線造影糸５の最近接経糸３Ａの位置がずれることがない。これより、医療従事者が手術等でこの医療用ガーゼ１を使用する際に、Ｘ線造影糸５の両側の最近接経糸３Ａが該Ｘ線造影糸５の表面から離れることなく、接触した状態が保たれる。つまり、Ｘ線造影糸５の表面に上記抵抗力を確実に発生させることができる。
【００１６】
このように、従来のガーゼではＸ線造影糸５が該ガーゼから抜け落ちてしまっていた状態でも、本発明の医療用ガーゼ１では、Ｘ線造影糸５の表面に、交差，接触する多数の緯糸４からのみならず、Ｘ線造影糸５の両側にて接触する最近接経糸３Ａからも上述のような抵抗力が生じることとなる。よって、医療従事者が手術等の医療行為中にガーゼを使用している最中に、この医療用ガーゼ１からＸ線造影糸５が容易に抜け落ちることはない。
【００１７】
また本発明の医療用ガーゼ１におけるＸ線造影糸５は、簡単に抜け落ちないようにガーゼに融着されてはいないので、上述のように固化した融着部分によって患者が一層の違和感を覚えたり、患者の体内で融着部分が接触した箇所が傷付く虞がない。以上のことから、本発明の医療用ガーゼ１によれば、患者に対する安全性も確保されることとなる。
【００１８】
尚、本実施形態では、Ｘ線造影糸５の両側で密に織り込まれる経糸３の本数をそれぞれ４本としているが、このＸ線造影糸５の両側にある最隣接の経糸３Ａの位置がずれないように経糸３ａ，３Ａが密に織り込まれていれば、本数は任意に設定可能である。ここで、本発明者らは、本実施形態の医療用ガーゼにおいて、密に織り込まれた経糸の本数とＸ線造影糸の抜け落ちにくさとの関係について調査し、最良の本数を求めるべく次のような実験を行った。以下、この実験方法及び得られた結果について説明する。
【００１９】
まず、実験に使用した医療用ガーゼの構成糸たる経糸及び緯糸には綿糸４０番手（約４５３．５ｇ×約７６８．１０ｍ×４０）のものを選定した。また、Ｘ線造影糸の組成は、ポリプロピレン樹脂約３９％，硫酸バリウム約６０％，その他の添加剤約１％とした。以上の構成糸およびＸ線造影糸から成る実験用のガーゼは、１ｃｍ２につき経糸１２±１本，緯糸１２±１本の条数とし且つガーゼの標準幅を縦３０ｃｍ（誤差＋０．５ｃｍ），横３０ｃｍ（誤差−０．５ｃｍ）として平織りされて成り、さらにＸ線造影糸の両側に密に織り込まれる経糸の本数を後述の表１に示すように２本ずつ，２本と３本，３本ずつ，４本ずつとする４種類の試験片ガーゼを用意した。
【００２０】
次に、上記構成の各種試験片ガーゼおよび図３のような従来のガーゼ（従来品）においてＸ線造影糸がガーゼから抜ける際に該Ｘ線造影糸の表面に発生する引抜き抵抗力を、各種試験片ガーゼおよび従来品について引張試験機を用いた引張荷重試験により測定した。この引抜き抵抗力の測定方法は、まず引張試験機に備わる一対のチャックの内、一方のチャックによりＸ線造影糸を保持すると共に、他方のチャックによりＸ線造影糸を挟まないような状態でガーゼを保持する。この時、引張荷重測定装置におけるチャック間距離を３００ｍｍとする。続いて、引張速度３００ｍｍ／分でチャックを作動させ、Ｘ線造影糸をガーゼから前記引張速度で引き抜き、その時に生じる引張荷重を測定する。以上のようにして各種試験片ガーゼおよび従来品において生じる引抜き抵抗力の測定を行い、表１に示す測定値を得た。以下にこの実験による測定結果を表１に示す。
【００２１】
【表１】
0003648727.tif 000002
【００２２】
表１によれば、Ｘ線造影糸の両側に密に織り込まれる複数の経糸の本数を２本以上に設定すると、ガーゼからＸ線造影糸が抜け落ちる方向とは反対方向に働く抵抗力が大きくなってＸ線造影糸が抜け落ちにくくなるという効果が発生し、上記経糸の本数を増加させるにつれてその効果は大きくなることが判る。また、Ｘ線造影糸の両側に密に織り込まれる経糸の本数を４本ずつとすると、Ｘ線造影糸は抜け落ちる前に破断に至っている。
【００２３】
ここで、本数を４本ずつとした場合にＸ線造影糸の破断が起こっていることを鑑みると、次のことが言える。まず３本ずつ以下の場合では、Ｘ線造影糸は従来品に比べてかなり抜け落ちにくくなるが、多少なりとも抜け落ちてしまう可能性は存在する。次に４本ずつに設定した場合には、Ｘ線造影糸が抜け落ちることなく破断してしまう程の引抜き抵抗力が生じている。また、密に織り込まれる経糸の本数を５本以上とした場合には、当然の事ながらＸ線造影糸は破断することとなり、またこの際に生じる引抜き抵抗力は実質的に４本ずつに設定した場合と同じになると言えるため、密に織り込まれる経糸の本数を４本ずつに設定することが、Ｘ線造影糸が抜け落ちないという効果を達成するには最も好ましいと言える。
【００２４】
また、密に織り込まれる経糸の本数を多くすると、糸の使用本数が多くなってコストアップになると共に、Ｘ線造影糸近傍が硬くなってしまうためにガーゼ自体の柔らかさが失われるといった不都合が生じてしまう。以上のことを上記測定結果と合わせて鑑みると、本発明の医療用ガーゼにおいてＸ線造影糸の両側に密に織り込まれる複数本の経糸の本数は、それぞれ２本以上４本以下に設定することが好ましく、更にはＸ線造影糸の両側に４本ずつ密に織り込まれることが最良であると結論付けることができ、密に織り込まれる複数本の経糸の本数をそれぞれ２本以上４本以下に設定された医療用ガーゼによれば、医療行為中にガーゼからＸ線造影糸が簡単に抜け落ちなくなる。
【００２５】
尚、上記実施形態の医療用ガーゼ１において、緯糸４の間隔を狭くすればする程、Ｘ線造影糸５の表面に交差，接触する緯糸４の数が増えるため、ガーゼからＸ線造影糸５を抜け落ちる方向と反対方向に抵抗力（摩擦力）がより大きくなり、その結果ガーゼからＸ線造影糸５が一層抜け落ちにくくなる。
【００２６】
また、上記実施形態の医療用ガーゼ１において、Ｘ線造影糸５の両側に接触する二本の最近接経糸３Ａに偏平状の糸を使用することで、この経糸３Ａは、該Ｘ線造影糸５の側面と所々で面接触することが可能となるため、経糸３ＡとＸ線造影糸５との間には、より一層大きな抵抗力が生じることとなる。よって、Ｘ線造影糸５の両側に接触する二本の最近接経糸３Ａとして偏平状の糸を使用すれば、さらに医療用ガーゼ１からＸ線造影糸５が抜け落ちにくくなる。
【００２７】
【発明の効果】
以上述べたように、本発明の医療用ガーゼによれば、Ｘ線造影糸が簡単に抜け落ちることがなくなるため、医療従事者が手術後にＸ線撮影をする等して取り残しガーゼの存在有無および取り残しガーゼの残存位置の確認を確実に行うことができる。また、この医療用ガーゼには固化した部分が存在しないため、固化部分によって患者が一層の違和感を覚えたり、患者の体内において固化部分が接触することにより該接触箇所が傷付くこともなく、患者に対する安全性も確保されたものとなっている。
【図面の簡単な説明】
【図１】本発明の一実施形態における医療用ガーゼの構成を示す全体構成図である。
【図２】本実施形態における医療用ガーゼのＸ線造影糸近傍の構成を示す拡大構成図である。
【図３】従来の医療用ガーゼの構成を示す図である。
【図４】医療用ガーゼにおけるＸ線造影糸近傍の断面図を示す図であり、図４（ａ）は本発明の医療用ガーゼにおけるＸ線造影糸近傍の断面図であり、図４（ｂ）は従来の医療用ガーゼにおけるＸ線造影糸近傍の断面図である。
【符号の説明】
１…医療用ガーゼ
２…経糸
３…Ｘ線造影糸近傍の経糸（複数本の経糸）
３Ａ…Ｘ線造影糸両側の最近接の経糸
３ａ…経糸（経糸３Ａ以外のＸ線造影糸近傍の経糸）
４…緯糸
５…Ｘ線造影糸
【図１】
0003648727.tif 000003
【図２】
0003648727.tif 000004
【図３】
0003648727.tif 000005
【図４】
0003648727.tif 000006